(57)【要約】      （修正有）【課題】具体的な現物の製品を想起させることなく、三次元成形品の凹凸形状により変化する外観から加飾フィルムのデザイン評価を行なう。【解決手段】三次元成形体１０は加飾フィルムを含み、表面に少なくとも凹凸形状１０Ａを備える。この凹凸形状１０Ａは現物の製品を想起しないよう現物の製品と無関係の形状をもつ。【選択図】図１
2020129071.tif 000002
【特許請求の範囲】
【請求項１】
加飾フィルムを備えた三次元成形体において、
前記三次元成形体は表面に少なくとも凹凸形状を備え、前記凹凸形状は現物の製品を想起しないよう前記現物の製品と無関係な形状を有する、三次元成形体。
【請求項２】
前記加飾フィルムの裏面に設けられた射出樹脂層を更に含む、請求項１記載の三次元成形体。
【請求項３】
前記凹凸形状は少なくとも凸曲面領域、凹曲面領域、および平坦面領域を含む、請求項１または２記載の三次元成形体。
【請求項４】
前記凸曲面領域と前記凹曲面領域との間、前記凸曲面領域と前記平坦面領域との間、または前記凹曲面領域と前記平坦領域との間のいずれに稜線が形成されている、請求項３記載の三次元成形体。
【請求項５】
請求項１乃至４のいずれか記載の三次元成形体を準備する工程と、
前記三次元成形体を提示する工程と、
提示された前記三次元成形体の外観から、前記凹凸形状に対応する前記加飾フィルムのデザイン評価を実施する工程と、を備えた三次元成形体の使用方法。
【請求項６】
前記三次元成形体の前記加飾フィルムのデザイン評価を実施する際、前記三次元成形体と同一のデザインをもつ平坦な前記加飾フィルムと比較しながら前記三次元成形体の前記加飾フィルムのデザイン評価を実施する、請求項５記載の三次元成形体の使用方法。
【発明の詳細な説明】
【技術分野】
【０００１】
本開示は加飾フィルムを備えた三次元成形体に関する。
【背景技術】
【０００２】
自動車の内外装製品（インストルメントパネルなど）、家電製品、住宅等を加飾するため加飾フィルムが使用されており、フィルムメーカーは加飾フィルムのサンプルを顧客（自動車メーカー、自動車部品メーカー、住宅メータなど）に提示してデザインのプレゼンテーションを行っている。しかしながら各種の製品は様々な立体的形状を有するため、平面状の加飾フィルムでは、製品に加工した後の外観をイメージし辛く、加飾フィルムの外観評価が難しいという課題がある。
【０００３】
特に自動車の内外装製品は曲面を有する複雑な形状を有するものが多いが、加飾フィルムは部品に加工される際に延伸されるため、延伸の程度が大きい箇所（特に曲面）と小さい箇所では絵柄の歪みや色の濃淡に差が生じる場合もあり、これらの要素も加味して加飾フィルムのデザインを評価することが望まれている。
【０００４】
この場合、加飾フィルムのサンプルを三次元成品の形状に成形することも検討されているが、具体的な現物の製品に加飾フィルムを適用して三次元成品を作製するため、三次元成品のサンプルは具体的現物の製品を想起させてしまう。このためこのような三次元成品のサンプルは一般的な加飾フィルムを含む三次元成品のサンプルとして用いることは難しく、特定の顧客のみに提示されることになる。
【先行技術文献】
【特許文献】
【０００５】
【特許文献１】特開２０１０−２４３７５６号公報
【発明の概要】
【発明が解決しようとする課題】
【０００６】
本開示はこのような点を考慮してなされたものであり、具体的な現物の製品を想起させることのない凹凸形状をもった三次元成形体を提供することを目的とする。
【課題を解決するための手段】
【０００７】
本開示は、加飾フィルムを備えた三次元成形体において、前記三次元成形体は表面に少なくとも凹凸形状を備え、前記凹凸形状は現物の製品を想起しないよう前記現物の製品と無関係な形状を有する、三次元成形体である。
【０００８】
本開示は、前記加飾フィルムの裏面に設けられた射出樹脂層を更に含む、三次元成形体である。
【０００９】
本開示は、前記凹凸形状は少なくとも凸曲面領域、凹曲面領域、および平坦面領域を含む、三次元成形体である。
【００１０】
本開示は、前記凸曲面領域と前記凹曲面領域との間、前記凸曲面領域と前記平坦面領域との間、または前記凹曲面領域と前記平坦領域との間のいずれに稜線が形成されている、三次元成形体である。
【００１１】
本開示は、上記記載の三次元成形体を準備する工程と、前記三次元成形体を提示する工程と、提示された前記三次元成形体の外観から、前記凹凸形状に対応する前記加飾フィルムのデザイン評価を実施する工程とを備えた三次元成形体の使用方法である。
【００１２】
本開示は、前記三次元成形体の前記加飾フィルムのデザイン評価を実施する際、前記三次元成形体と同一のデザインをもつ平坦な前記加飾フィルムと比較しながら前記三次元成形体の前記加飾フィルムのデザイン評価を実施する、請求項６記載の三次元成形体の使用方法である。
【発明の効果】
【００１３】
以上のように、本開示によれば具体的な現物の製品を想起させることなく、三次元形状の凹凸形状により変化する外観を観察することにより、加飾フィルムのデザイン評価を適切に実施することができる。
【図面の簡単な説明】
【００１４】
【図１】図１は第１の実施の形態による三次元成形体を示す斜視図。
【図２】図２は三次元成形体１０の加飾フィルム３０を示す側断面図。
【図３】図３は三次元成形体の作成方法を示す図。
【図４】図４は三次元成形体の使用方法を示す図。
【図５】図５は第２の実施の形態による三次元成形体を示す斜視図。
【発明を実施するための形態】
【００１５】
＜第１の実施の形態＞
以下、図面を参照して第１の実施の形態による三次元成形体およびその使用方法について説明する。
【００１６】
図１乃至図４は、第１の実施の形態による三次元成形体を示す図である。
【００１７】
まず、図１乃至図３により、本実施の形態による三次元成形体について説明する。
【００１８】
図１に示すように、三次元成形体１０は後述のように、加飾フィルム３０を真空成形機により真空成形することにより得られる。
【００１９】
このような三次元成形体１０は、例えば特定の色をベタ印刷することにより得られる全面が単一色のデザインをもった加飾フィルム３０を備え、三次元成形体１０はその表面に凹凸形状１０Ａを備えている。
【００２０】
三次元成形体１０の凹凸形状１０Ａは、例えば自動車の内外装製品、家電製品、あるいは住宅製品等の現物の製品を想起しないよう、これらの現物の製品と無関係な形状を有する。後述のように三次元成形体は、顧客先まで持っていって提示されるものであり、この場合、三次元成形体１０の凹凸形状１０Ａが特定の顧客先の現物の製品と関係をもつ形状をもつ場合、三次元成形体１０の取り引き先がこの特定の顧客に限られてしまい、三次元成形体１０の営業ルートが限定される。
【００２１】
これに対して本実施の形態によれば、三次元成形体１０の凹凸形状１０Ａは現物の製品を想起しないよう、現物の製品と無関係な形状をもつため、複数の顧客先に渡って広範囲に三次元成形体１０を持ち込み提示することができる。
【００２２】
なお、三次元成形体１０の凹凸形状１０Ａは、現物の製品を想起しないよう、現物の製品と無関係な形状を有するが、複数の現物の製品に含まれる共通の領域、例えば凸曲面領域、凹曲面領域、平坦面領域、あるいはこれらの領域間に形成された稜線を含むことが好ましい。
【００２３】
具体的には図１に示すように、三次元成形体１０の凹凸形状１０Ａは少なくとも左側に位置する平坦面領域１１と、奥側に位置する平坦面領域１２と、右側に位置する凸曲面領域１３と、中央に位置する凹曲面領域１４とを有する。
【００２４】
また、凹曲面領域１４の右側下方に平坦面領域１５が設けられ、凸曲面領域１３の下方に平坦面領域１６が設けられている。
【００２５】
また、平坦面領域１１と、平坦面領域１２と、凸曲面領域１３と、凹曲面領域１４と、平坦面領域１５と、平坦面領域１６の下方には、環状に延びる側面領域１８が形成され、この側面領域１８の下方には環状に延びる底縁フランジ１９が形成されている。
【００２６】
このうち底縁フランジ１９は三次元成形体１０を、図示しない保持板に取り付ける際の取り付け板として機能する。
【００２７】
また三次元成形体１０の表面において、凸曲面領域１３および凹曲面領域１４と、平坦面領域１２との間には稜線２０ａが形成され、平坦面領域１１と平坦面領域１２との間には稜線２０ｂが形成され、平坦面領域１１と凹曲面領域１４との間には稜線２０ｃが形成されている。
【００２８】
さらに凸曲面領域１３と平坦面領域１６との間には稜線２０ｄが形成されている。
【００２９】
また平坦面領域１１、平坦面領域１２、凸曲面領域１３、平坦面領域１６、平坦面領域１５、および凹曲面領域１４と、側面領域１８との間にも環状に延びる稜線２１が設けられている。
【００３０】
また凸曲面領域１３と凹曲面領域１４との間にはなだらかな凸曲面領域２２が形成され、また、また平坦面領域１５、１６間にはなだらかな凸曲面領域２３が形成されている。
【００３１】
次に、三次元成形体１０を構成する加飾フィルム３０について、図２より説明する。
【００３２】
図２に示すように加飾フィルム３０は外面側から内面側へ順次配置された、例えばアクリル樹脂製の透明樹脂層３１と、特定の色をベタ印刷することにより得られた全面単一色のデザインを呈する印刷層３２と、例えばＡＢＳ樹脂（アクリロニトリル、ブタジエン、スチレン共重合合成樹脂）製の基材樹脂層３３とを有する。
【００３３】
この場合、加飾フィルム３０は、印刷層３２を必ずしも有する必要はなく、印刷層３２の代わりに金属蒸着層が用いられていてもよい。
【００３４】
あるいは印刷層３２を設けることなく、基材樹脂層３３として着色されたＡＢＳ樹脂を用いてもよい。
【００３５】
三次元成形体１０の作製にあたっては、上記の構成からなる加飾フィルム３０を準備し、三次元成形体１０の凹凸形状１０Ａに対応する形状のめす型４１をもった真空成形機４０を用いて、本実施の形態による三次元成形体１０を作製することができる（図３参照）。
【００３６】
具体的には図３に示すように、加飾フィルム３０を真空成形機４０のめす型４１上に載置し、次に加飾フィルム３０の周縁をクランプ４２により押さえる。その後、ヒーター４３により加飾フィルム３０を加熱し、加飾フィルム３０を十分に軟化させ、めす型４１内の空気を抜いて加飾フィルム３０を真空成形機４０のめす型４１に押し付ける。所定時間経過後、ヒーター４３の作動を停止して加飾フィルム３０が冷えたところで、めす型４１から真空形成された加飾フィルム３０からなる三次元成形体１０を取り出す。
【００３７】
このようにして加飾フィルム３０を含む三次元成形体１０を得ることができる。
【００３８】
なお、必要により、真空成形機４０により作製された三次元成形体１０を更に図示しない射出成形機内に挿入し、加飾フィルム３０の裏面に射出樹脂を射出することにより、加飾フィルム３０の裏面に射出樹脂層３４を設けてもよい。この場合、射出樹脂層３４により、三次元成形体１０を補強することができる（図２参照）。
他方、三次元成形体１０が射出樹脂を含まず、加飾フィルム３０のみからなる場合、射出樹脂を含まない分だけ、三次元成形体１０を軽量化することができ、かつ同一形状の凹凸形状１０Ａをもつ複数の三次元成形体１０を重ね合わせることが可能となる。このため、後述のように複数の三次元成形体１０をサンプルとして顧客先まで持ち込む際、三次元成形体１０を重ね合わせることにより、持ち運びが容易となり、模様の異なる多数の三次元成形体１０をサンプルとして顧客先まで持ち込んで顧客先に提示することができる。
【００３９】
次に三次元成形体１０の使用方法について説明する。
【００４０】
まず、図４に示すように、上述のようにして得られた三次元成形体１０を準備する。次にこの三次元成形体１０を複数、顧客先まで持参して、顧客（観察者）に対してサンプルとしての三次元成形体１０を提示する。
【００４１】
次に観察者は各々の三次元成形体１０の外観から、三次元成形体１０の凹凸形状１０Ａに対応する加飾フィルム３０のデザイン評価を行う。この場合、加飾フィルム３０の印刷層３２は特定の色をベタ印刷することにより得られたデザインをもち、三次元成形体１０は凹凸形状１０Ａの例えば平坦面領域１１、平坦面領域１２、凸曲面領域１３、凹曲面領域１４、平坦面領域１５，および平坦面領域１６に異なる外観を呈する。また三次元成形体１０は、凹凸形状１０Ａの各稜線２０ａ、２０ｂ、２０ｃ、２０ｄ毎に異なる外観を呈する。
【００４２】
あるいは三次元成形体１０は凹凸形状１０Ａのなだらかな凸曲面領域２２、あるいはなだらかな凸曲面領域２３毎に異なる外観を呈する。
【００４３】
このため観察者は凹凸形状１０Ａの各領域１１、１２、１３、１４、１５、１６、２２、２３、あるいは稜線２０ａ、２０ｂ、２０ｃ、２０ｄ、２１毎に変化する三次元成形体１０の外観を観察することができる。このことにより今後開発されるべき製品にこの三次元成形体の加飾フィルムを適用した場合を考慮して、そのデザイン評価を行うことができる。
【００４４】
この加飾フィルムに対するデザイン評価を行う際、例えば平坦状の加飾フィルム３０、すなわち三次元成形体１０を作製する前の加飾フィルム３０を準備し、この平坦状の加飾フィルム３０と加飾フィルム３０からなる三次元成形体１０とを比較しながら、三次元成形体１０の凹凸形状Ａの各領域１１、１２、１３、１４、１５、１５、２２、２３、あるいは各稜線２０ａ、２０ｂ、２０ｃ、２０ｄ、２１毎に表れる三次元成形体１０の外観を観察してもよい。
【００４５】
このように三次元成形体１０の外観を平坦状の加飾フィルム３０と比較することにより、三次元成形体１０の外観の特徴をより正確に認識することができる。
【００４６】
以上のように本実施の形態によれば、三次元成形体１０の凹凸形状１０Ａにより変化する外観を観察することにより、加飾フィルム３０についてそのデザイン評価を行うことができる。この場合、三次元成形体１０の凹凸形状Ａは具体的な現物の製品と無関係の形状をもつため、特定の顧客に限らず、複数の顧客に対しても幅広くこの三次元成形体１０を持ち込みその外観を提示することができる。
【００４７】
＜第２の実施の形態＞
次に図５により第２の実施の形態について説明する。
【００４８】
図５に示す第２の実施の形態は、加飾フィルム３０の印刷層３２が特定の色をベタ印刷することにより得られた全面単一色のデザインをもつ代わりに、印刷層３２が格子状の模様をもつ点が異なるのみであり、他の構成は図１乃至図４に示す第１の実施の形態と略同一である。
【００４９】
図５に示す第２の実施の形態において、図１乃至図４に示す第１の実施の形態と同一部分には同一符号を付して詳細な説明は省略する。
【００５０】
図５に示すように、三次元成形体１０は、格子状の模様をもつ印刷層３２を含む加飾フィルム３０を備え、三次元成形体１０は、凹凸形状１０Ａに対応して変化する三次元成形体１０の外観を呈する。
ここでは印刷層３２が格子状の模様をもつ場合を例に挙げて説明したが、印刷層３２の模様としてはカーボン柄、ヘアライン柄、年輪断面の春材領域及び秋材領域、導管部等から構成される木目柄、レザー（皮絞）柄、大理石、花崗岩、砂岩などの石目模様、砂目模様、タイル貼模様、レンガ模様、布目模様、幾何学模様、文字や記号、抽象模様などであってもよい。
【符号の説明】
【００５１】
１０  三次元成形体
１０Ａ  凹凸形状
１１  平坦面領域
１２  平坦面領域
１３  凸曲面領域
１４  凹曲面領域
１５  平坦面領域
１６  平坦面領域
１８  側面領域
１９  底縁フランジ
２０ａ、２０ｂ、２０ｃ、２０ｄ  稜線
２１  稜線
３０  加飾フィルム
【図１】
2020129071.tif 000003
【図２】
2020129071.tif 000004
【図３】
2020129071.tif 000005
【図４】
2020129071.tif 000006
【図５】
2020129071.tif 000007